(57)【要約】【課題】表面に模様が付された光透過性部材からなる内筒について、その内部に照明体を設けないような構成とすることにより、看者に対して手前側および奥側の両方の帯模様を十分に視認させることにより、従来のように回転筒の中に照明体を内蔵したものに比べて帯模様に優れた立体感を感じさせることができ、このことにより審美性が向上したディスプレイ装置を提供する。【解決手段】模様２４ａ〜２４ｄが表面に付された内筒２４が外筒２２の内部に設置されている。この内筒２４は基台２０に対して回転自在となっている。さらに、照明体２６は内筒２４と外筒２２との間に設置されている。【選択図】図１
2008026465.tif 000002
【特許請求の範囲】
【請求項１】
基台と、
前記基台に固定され、光透過性部材を側面に有する外筒と、
前記基台に回転自在に設けられ、前記外筒内に配置されるとともに表面に模様が付された光透過性部材からなる内筒と、
前記外筒と前記内筒との間に配置され、当該外筒の軸方向に延びる照明体と、
を備えたことを特徴とするディスプレイ装置。
【請求項２】
基台と、
前記基台に固定され、光透過性部材を側面に有する外筒と、
前記基台に回転自在に設けられ、前記外筒内に配置されるとともに表面に模様が付された光透過性部材からなる内筒と、
前記外筒の内部において前記内筒の上方または下方、あるいはその両方に設置された照明体と、
を備えたことを特徴とするディスプレイ装置。
【請求項３】
前記内筒の内部に観賞用物体を設けたことを特徴とする請求項１または２記載のディスプレイ装置。
【請求項４】
前記観賞用物体は、前記照明体からの光を反射させるようになっていることを特徴とする請求項３記載のディスプレイ装置。
【請求項５】
前記観賞用物体は、前記内筒とともに一体的に回転させられるようになっていることを特徴とする請求項３または４記載のディスプレイ装置。
【発明の詳細な説明】
【技術分野】
【０００１】
本発明は、理容店や美容店の店頭等に設置されるサインポール等のディスプレイ装置に関し、とりわけ審美性が向上したディスプレイ装置に関する。
【背景技術】
【０００２】
理容店や美容店の店頭等には、その店の案内、広告等を行うためのサインポール（ディスプレイ装置）が設置されている。理容店や美容店の店頭等に設置されるサインポールは、縦長の透明な円筒（又は角筒）状のケース部材の内側に、円筒状の回転筒が、それ自体の中心軸線を中心として回転可能に設置されている。この回転筒は白色の合成樹脂から形成される等、不透明なものであり、かつ、その表面に赤、青、白の各色の帯状の模様が螺旋状に付されている。また、模様が付された回転筒の内部には、当該回転筒を照らすための蛍光灯がこの回転筒の軸方向に延びるよう設置されている。そして、この回転筒が回転することによって、看者に対して、その螺旋状の模様が上昇または下降するような感じを与えるようになっている。
【０００３】
また、他の種類のサインポールとしては、特許文献１，２に示すようなものも知られている。ここで、特許文献１に開示されるような、従来のサインポールの他の例について図２３を用いて説明する。図２３は、特許文献１に開示される従来のサインポール６０の構成を示す側面図である。
【０００４】
図２３に示すように、サインポール６０は、床面に設置される基台６６と、基台６６の上方に固定された円筒形のケース部材６４と、ケース部材６４の内部に回転自在に設けられた回転筒６２とを備えている。ここで、ケース部材６４および回転筒６２は、それぞれアクリル板等の透明な部材から形成されており、回転筒６２には赤、青、白の各色の帯状の模様６２ａが螺旋状に付されている。そして、図２３に示すように、回転筒６２の内部には、蛍光灯が内蔵された白色の合成樹脂からなる内筒６８が設けられている。この内筒６８は基台６６に固定されている。
【０００５】
【特許文献１】実開平６−７６９８１号公報
【特許文献２】実開平７−１０７７９号公報
【発明の開示】
【発明が解決しようとする課題】
【０００６】
しかしながら、冒頭で説明したような、縦長の透明な円筒状等のケース部材の内側に、各色の帯状の模様が付された白色の合成樹脂等からなる円筒状の回転筒が回転可能に設置されるようなディスプレイ装置では、看者に対しては、そのディスプレイ装置の全周にわたる表面に施された意匠のうち、看者の位置する側の部分の意匠しか視認させることができない。
【０００７】
また、図２３に示すようなサインポール６０においても、看者は回転筒６２における手前側の模様を観察することができるが、白色の合成樹脂等からなる不透明な内筒６８が邪魔となり、看者は回転筒６２における内筒６８よりも奥側の模様を観察することができず、サインポールの審美性はそれほど向上しない。また、図２３に示すようなサインポール６０は構造上複雑なものであり、製造コストが割高になってしまうという問題がある。
【０００８】
サインポール等のディスプレイ装置の更に他の態様としては、例えば特開２００２−２８７６７０号公報、実開平７−１０７７９号公報、実開平５−８１８７６号公報、特許第３０６２５２１号等に開示されるものが知られている。しかしながら、いずれのディスプレイ装置においても、蛍光灯等の照明体は、各色の帯状の模様が螺旋状に付された透明または半透明の筒体の内部に設置されており、看者は、その筒体の全周にわたる表面に施された意匠のうち、看者の位置する側の部分の意匠しか視認することができない。
【０００９】
本発明は、このような点を考慮してなされたものであり、表面に模様が付された光透過性部材からなる内筒について、その内部に蛍光灯等の照明体を設けないような構成とすることにより、看者に対して手前側および奥側の両方の帯模様を十分に視認させることにより帯模様に優れた立体感を感じさせることができ、このことにより審美性が向上したディスプレイ装置を提供することを目的とする。
【課題を解決するための手段】
【００１０】
本発明は、基台と、前記基台に固定され、光透過性部材を側面に有する外筒と、前記基台に回転自在に設けられ、前記外筒内に配置されるとともに表面に模様が付された光透過性部材からなる内筒と、前記外筒と前記内筒との間に配置され、当該外筒の軸方向に延びる照明体と、を備えたことを特徴とするディスプレイ装置である。なお、光透過性部材とは、透明な部材および半透明な部材の両方の概念を包含するような部材のことをいう。
【００１１】
このようなディスプレイ装置によれば、照明体が内筒と外筒との間に設置されているので、内筒を、その内部に照明体が設置されていないような状態とすることができる。このことにより、看者は、内筒に形成された帯模様のうち手前側の模様のみならず、奥側の模様も十分に視認することができる。このため、看者は、手前側のみならず奥側の帯模様についてもあたかも当該奥側の帯模様が上方または下方に移動するような錯覚を受け、手前側および奥側の両方の帯模様を十分に視認することにより帯模様に優れた立体感を感じるようになる。このことによりディスプレイ装置の審美性をより向上させることができる。また、照明体を前記外筒と前記内筒との間に配置したことにより、当該照明体を交換する際に、照明体を内筒の内部に設置した構造と比較して、容易にこの交換を行うことができる。
【００１２】
本発明のディスプレイ装置においては、前記内筒の内部に観賞用物体を設けたことが好ましい。このことにより、看者は、観賞用物体があたかも手前側の帯模様と奥側の帯模様との間で空中に浮いているように認識し、このためディスプレイ装置に対してより一層の審美性を感じるようになる。
【００１３】
本発明のディスプレイ装置においては、前記観賞用物体は、前記照明体からの光を反射させるようになっていることが好ましい。このことにより、看者は複雑な光の煌めきを感じるようになり、このためディスプレイ装置の審美性をより向上させることができる。
【００１４】
本発明のディスプレイ装置においては、前記観賞用物体は、前記内筒とともに一体的に回転させられるようになっていることが好ましい。このことにより、看者はあたかも内筒内で空中に浮いた観賞用物体の回転を認識することとなり、このためディスプレイ装置に対してより一層の審美性を感じるようになる。
【００１５】
本発明は、基台と、前記基台に固定され、光透過性部材を側面に有する外筒と、前記基台に回転自在に設けられ、前記外筒内に配置されるとともに表面に模様が付された光透過性部材からなる内筒と、前記外筒の内部において前記内筒の上方または下方、あるいはその両方に設置された照明体と、を備えたことを特徴とするディスプレイ装置である。
【００１６】
このようなディスプレイ装置によれば、照明体が内筒の上方または下方、あるいはその両方に設けられているので、内筒を、その内部に照明体が設置されていないような状態とすることができる。このことにより、看者は、内筒に形成された帯模様のうち手前側の模様のみならず、奥側の模様も十分に視認することができる。このため、看者は、手前側のみならず奥側の帯模様についてもあたかも当該奥側の帯模様が上方または下方に移動するような錯覚を受け、手前側および奥側の両方の帯模様を十分に視認することにより帯模様に優れた立体感を感じるようになる。このことによりディスプレイ装置の審美性をより向上させることができる。また、照明体を前記内筒の上方および／または下方に配置したことにより、当該照明体を交換する際に、照明体を内筒の内部に設置した構造と比較して、容易にこの交換を行うことができる。
【発明の効果】
【００１７】
本発明のディスプレイ装置によれば、看者に与える審美性を向上させることができる。
【発明を実施するための最良の形態】
【００１８】
以下、図面を参照して本発明の実施の形態について説明する。
図１乃至図５は、本発明によるディスプレイ装置の一種であるサインポールの実施の形態を示す図である。このうち、図１は、本実施の形態のサインポール１０ａの構成を示す斜視図であり、図２は、図１のサインポール１０ａを一の方向から見た側面図であり、図３は、図１のサインポール１０ａを他の方向から見た側面図であり、図４は、図２のサインポール１０ａのＡ−Ａ矢視縦断面図であり、図５は、図３のサインポール１０ａのＢ−Ｂ矢視横断面図である。
【００１９】
図１に示すサインポール１０ａは、基台２０と、この基台２０に固定された円筒形の外筒２２と、この外筒２２の内部に回転自在に設けられた円筒形の内筒２４と、外筒２２と内筒２４との間に配置された２本の細長の照明体２６とを備えている。
以下、このようなサインポール１０ａの各構成要素について詳細に説明する。
【００２０】
基台２０は、図１および図４に示すように、中空の円筒形材料から形成されており、床面に設置されるようになっている。
【００２１】
外筒２２は、基台２０の上方に取り外し自在に取り付けられている。この外筒２２は、例えば透明なアクリル板等の光透過性部材から形成されている。なお、外筒２２を半透明な部材から形成してもよい。
【００２２】
外筒２２の上方には、蓋部材３０が取り外し自在に取り付けられている。この蓋部材３０の内部には、後に詳述する内筒２４の上面を回転自在に保持するための保持機構２８が設けられている。
【００２３】
内筒２４は、図１乃至図４に示すように外筒２２の内部に設けられている。この内筒２４は、例えば透明なアクリル板等の光透過性部材から形成されており、その表面には模様が付されている。具体的には、円筒形の内筒２４には、青帯模様２４ａ、２４ｃおよび赤帯模様２４ｂ、２４ｄが交互に螺旋状に描かれている。さらに詳細には、図２および図３に示すように、内筒２４の外方側の各模様２４ａ、２４ｂ（内筒２４の外側から内方に向かって見たときの各模様）はそれぞれ濃い色となっており、内筒２４の内方側の各模様２４ｃ、２４ｄ（内筒２４の内側から外方に向かって見たときの各模様）はそれぞれ薄い色となっている。なお、実際には、各帯模様２４ａ、２４ｂ、２４ｃ、２４ｄの両側にはそれぞれ白帯模様が形成されているが、図面では簡略化のためこの白帯模様は省略されている。
【００２４】
前述のように、この内筒２４は、蓋部材３０の保持機構２８によって回転自在に吊り下げられている。また、この内筒２４の内部には何も設けられていない。また、内筒２４を透明なアクリル板等から形成する代わりに半透明な部材から形成してもよい。
【００２５】
照明体２６は、図５に示すように、内筒２４と外筒２２との間において当該外筒２２の軸を中心として対称的に２本配置されている。この照明体２６は、外筒２２の軸方向（図４の上下方向）に延びる例えば棒形状の蛍光灯２６ａと、この蛍光灯２６ａを保持するためのホルダー２６ｂと、蛍光灯２６ａが外筒２２の外部から直接的に視認されることを防ぐための遮光板２６ｃとから形成されている（なお、図５ではホルダー２６ｂが蛍光灯２６ａを保持する前の状態を示している）。
具体的には、図５に示すように、遮光板２６ｃは蛍光灯２６ａの外側に配置されており、このため看者がこの蛍光灯２６ａを直視して眩しさを感じてしまうことがないようになっている。
【００２６】
内筒２４の底面中心には、下方に突出する突起部３２が形成されている。また、基台２０の内部には駆動モータ３４が設けられており、内筒２４に設けられた突起部３２はこの駆動モータ３４に着脱自在となっている。図４に示すように、内筒２４が保持機構２８により回転自在に吊り下げられた状態で、この内筒２４の底面にある突起部３２が駆動モータ３４により回転させられることにより、内筒２４が一方向に回転するようになっている。
【００２７】
以下、このような構成からなるサインポール１０ａの作用について説明する。
【００２８】
図１等に示すように、螺旋状の青帯模様２４ａ、２４ｃ、赤帯模様２４ｂ、２４ｄおよび白帯模様からなる模様が表面に付された内筒２４が外筒２２の内部に設置され、この内筒２４が駆動モータ３４により一方向に回転させられる。このことにより、看者は、これらの帯模様があたかも上方または下方に移動するような錯覚を受け、当該サインポール１０ａに審美性を感じることができる。
【００２９】
本実施の形態においては、棒形状の蛍光灯２６ａを含む照明体２６は内筒２４と外筒２２との間に設置されている。このため、内筒２４を、その内部に何も設置されていないような中空状態とすることができる。このことにより、図１に示すように、看者は、内筒２４に形成された帯模様のうち手前側の模様２４ａ、２４ｂのみならず、奥側の模様２４ｃ、２４ｄも十分に視認することができる。このため、看者は、手前側のみならず奥側の帯模様についてもあたかも当該奥側の帯模様が上方または下方に移動するような錯覚を受け、手前側および奥側の両方の帯模様を十分に視認することにより帯模様に優れた立体感を感じるようになる。このことによりサインポール１０ａの審美性をより向上させることができる。
【００３０】
本実施の形態におけるサインポールは、上記の態様に限定されるものではなく、様々の変更を加えることができる。
次に本実施の形態におけるサインポールの変形例につき、図６乃至図８により説明する。図６は、本実施の形態における他のサインポール１０ｂの構成を示す側面図であり、図７は、図６のサインポール１０ｂの縦断面図であり、図８は、図６のサインポール１０ｂのＣ−Ｃ矢視横断面図である。
図６乃至図８において、図１乃至図５に示す態様と同一部分には同一符号を付して詳細な説明を省略する。
【００３１】
図６乃至図８に示すように、内筒２４の中心軸上において当該内筒２４の軸方向に延びるよう、細長い心棒４０が内筒２４の内部に設けられている。この心棒４０の両端はそれぞれ内筒２４の上面および底面の中心に取り付けられている。この心棒４０は非常に細く、視認し難い色彩やサイズとなっており、外筒２２の外部から見た場合に目立たないよう形成されている。
【００３２】
また、図６および図７に示すように、心棒４０には例えば４つの観賞用物体４２が直列に等間隔で取り付けられている。これらの観賞用物体４２は、それぞれ例えば樹脂が成形加工された球体から構成されており、例えば表面にメッキ加工がなされている。このため、各観賞用物体４２は照明体２６からの光を反射させることができるようになっており、看者は複雑な光の煌めきを感じることができる。
【００３３】
なお、心棒４０は内筒２４に固定されているので、内筒２４が駆動モータ３４により回転させられた場合には心棒４０も内筒２４と同期して回転し、観賞用物体４２も回転することとなる。また、心棒４０を内筒２４に固定しない方法を用いることもできる。この場合は、観賞用物体４２は回転しないようになる。
【００３４】
図６乃至図８に示すようなサインポール１０ｂによれば、内筒２４の内部に観賞用物体４２が設けられているので、看者は、この観賞用物体４２があたかも手前側の模様２４ａ、２４ｂと奥側の模様２４ｃ、２４ｄとの間で空中に浮いているように認識し、このためにサインポール１０ｂに対してより一層の審美性を感じるようになる。
【００３５】
また、前述のように、観賞用物体４２は照明体２６からの光を反射させることができるので、看者は複雑な光の煌めきを感じることができ、サインポール１０ｂの審美性をより向上させることができる。
【００３６】
次に本実施の形態におけるサインポールの更に他の変形例につき、図９乃至図１１により説明する。図９は、本実施の形態における更に他のサインポール１０ｃの構成を示す側面図であり、図１０は、図９のサインポール１０ｃの縦断面図であり、図１１は、図９のサインポール１０ｃのＤ−Ｄ矢視横断面図である。
図９乃至図１１において、図１乃至図８に示す態様と同一部分には同一符号を付して詳細な説明を省略する。
【００３７】
心棒４０には例えば４つの観賞用物体４４が直列に等間隔で取り付けられている。これらの観賞用物体４４は、それぞれ例えば２つの同一形状の多角錐物体（例えば十二角錐）を互いの底面が合わさるように組み合わせたものであり、例えば表面にメッキ加工がなされている。このため、各観賞用物体４４は照明体２６からの光を反射させることができるようになっており、看者は複雑な光の煌めきを感じることができる。
【００３８】
なお、心棒４０は内筒２４に固定されているので、内筒２４が駆動モータ３４により回転させられた場合には心棒４０も同期して回転し、観賞用物体４２も回転することとなる。
【００３９】
図９乃至図１１に示すようなサインポール１０ｃによれば、内筒２４の内部に独特の形状の観賞用物体４４が設けられているので、看者は、この観賞用物体４４があたかも空中に浮いているように認識し、サインポール１０ｃの審美性をより向上させることができる。
【００４０】
また、前述のように、観賞用物体４４は照明体２６からの光を反射させることができるので、看者は複雑な光の煌めきを感じることができ、サインポール１０ｃの審美性をより向上させることができる。また、観賞用物体４４は内筒２４とともに一体的に回転させられるようになっているので、看者は、この観賞用物体４４の回転を認識することができるようになり、サインポール１０ｃに対してより一層の審美性を感じることとなる。
【００４１】
次に本実施の形態におけるサインポールの更に他の変形例につき、図１２乃至図１４により説明する。図１２は、本実施の形態における更に他のサインポール１０ｄの構成を示す側面図であり、図１３は、図１２のサインポール１０ｄの縦断面図であり、図１４は、図１２のサインポール１０ｄのＥ−Ｅ矢視横断面図である。
図１２乃至図１４において、図１乃至図１１に示す態様と同一部分には同一符号を付して詳細な説明を省略する。
【００４２】
図１２乃至図１４に示すように、内筒２４に付された模様は、図１乃至図３に示すような模様とは異なる模様となっている。具体的には、内筒２４の中央近傍には、青帯、白帯、赤帯、白帯、・・・の順番にならんだ螺旋状の細い帯模様２４ｅ、２４ｆが付されている。より詳細には、図１２に示すように、内筒２４の外方側の各模様２４ｅ（内筒２４の外側から内方に向かって見たときの各模様）はそれぞれ濃い色となっており、内筒２４の内方側の各模様２４ｆ（内筒２４の内側から外方に向かって見たときの各模様）はそれぞれ薄い色となっている。この場合でも、内筒２４が駆動モータ３４により一方向に回転させられたときに、看者は、これらの細い帯模様があたかも上方または下方に移動するような錯覚を受け、当該サインポール１０ｄに審美性を感じることができる。
【００４３】
図１２乃至図１４に示すようなサインポール１０ｄには、図６乃至図１１に示すような心棒４０は設けられていない。代わりに、内筒２４の内部において、多角錐物体等からなる観賞用物体４６がそれぞれ当該内筒２４の上面および底面に取り付けられている。これらの上下一対の観賞用物体４６は例えば十二角錐から構成されており、各々の底面が内筒２４の上面および底面にそれぞれ当接するようになっている。この観賞用物体４６の表面には例えばメッキ加工がなされている。このため、各観賞用物体４６は照明体２６からの光を反射させることができるようになっており、看者は複雑な光の煌めきを感じることができる。
【００４４】
なお、各観賞用物体４６は内筒２４の上面または底面に固定されているので、内筒２４が駆動モータ３４により回転させられた場合には各観賞用物体４６も同期して回転することとなる。
【００４５】
図１２乃至図１４に示すようなサインポール１０ｄによれば、内筒２４の内部に観賞用物体４６が設けられているので、看者は、この観賞用物体４６の存在を美的なものとして認識し、サインポール１０ｄの審美性をより向上させることができる。
【００４６】
また、前述のように、観賞用物体４６は照明体２６からの光を反射させることができるので、看者は複雑な光の煌めきを感じることができ、サインポール１０ｄの審美性を更に向上させることができる。
【００４７】
次に本実施の形態におけるサインポールの更に他の変形例につき、図１５乃至図１７により説明する。図１５は、本実施の形態における更に他のサインポール１０ｅの構成を示す側面図であり、図１６は、図１５のサインポール１０ｅの縦断面図であり、図１７は、図１５のサインポール１０ｅのＦ−Ｆ矢視横断面図である。
図１５乃至図１７において、図１乃至図１４に示す態様と同一部分には同一符号を付して詳細な説明を省略する。
【００４８】
図１５乃至図１７に示すように、内筒２４に付された模様は、図１乃至図３に示すような模様とは異なる模様となっている。具体的には、内筒２４の上端および下端近傍には、青帯、白帯、赤帯、白帯、・・・の順番にならんだ螺旋状の細い帯模様２４ｇ、２４ｈが付されている。より詳細には、図１５に示すように、内筒２４の外方側の各模様２４ｇ（内筒２４の外側から内方に向かって見たときの各模様）はそれぞれ濃い色となっており、内筒２４の内方側の各模様２４ｈ（内筒２４の内側から外方に向かって見たときの各模様）はそれぞれ薄い色となっている。この場合でも、内筒２４が駆動モータ３４により一方向に回転させられたときに、看者は、これらの細い帯模様があたかも上方または下方に移動するような錯覚を受け、当該サインポール１０ｅに審美性を感じることができる。なお、図１５に示すように、内筒２４の中央近傍には帯模様は付されていない。
【００４９】
図１５乃至図１７に示すように、内筒２４の中心軸上において当該内筒２４の長手方向に延びるよう、細長い心棒４０が内筒２４の内部に設けられている。この心棒４０の両端はそれぞれ内筒２４の上面および底面の中心に取り付けられている。
【００５０】
心棒４０の中央位置には観賞用物体４５が取り付けられている。この観賞用物体４５は、例えば理容店等で用いられるハサミの形状のものとなっており、例えば表面にメッキ加工がなされている。このため、観賞用物体４５は照明体２６からの光を反射させることができるようになっており、看者は複雑な光の煌めきを感じることができる。この際に、内筒２４の中央近傍には模様が付されていないので、看者は、このハサミの形状をした観賞用物体４５を十分に視認することができる。
【００５１】
なお、心棒４０は内筒２４に固定されているので、内筒２４が駆動モータ３４により回転させられた場合には心棒４０も同期して回転し、観賞用物体４５も回転することとなる。
【００５２】
図１５乃至図１７に示すようなサインポール１０ｅによれば、内筒２４の内部にハサミの形状の観賞用物体４５が設けられているので、この観賞用物体４５が理容店や美容店のイメージを鮮明にし、看者は、このサインポール１０ｅが置かれた店を理容店または美容店と強く認識することができるので、サインポール１０ｅの審美性をより向上させることができる。
【００５３】
また、前述のように、観賞用物体４５は照明体２６からの光を反射させることができるので、看者は複雑な光の煌めきを感じることができ、サインポール１０ｅの審美性をより向上させることができる。また、観賞用物体４５は内筒２４とともに一体的に回転させられるようになっているので、看者はこの観賞用物体４５の回転を認識することができるようになり、サインポール１０ｅに対して更なる審美性を与えることができる。
【００５４】
次に本実施の形態におけるサインポールの更に他の変形例につき、図１８および図１９により説明する。図１８は、本実施の形態における更に他のサインポール１０ｆの構成を示す側面図であり、図１９は、図１８のサインポール１０ｆのＧ−Ｇ矢視横断面図である。
図１８および図１９において、図１乃至図１７に示す態様と同一部分には同一符号を付して詳細な説明を省略する。
【００５５】
図１８および図１９に示すように、内筒２４の中心軸上において当該内筒２４の軸方向に延びるよう、細長い心棒４０が内筒２４の内部に設けられている。この心棒４０の両端はそれぞれ内筒２４の上面および底面の中心に取り付けられている。さらに、この心棒４０からは、当該心棒４０に対して垂直方向に延びるよう（すなわち、心棒４０から水平方向に延びるよう）、複数の支枝４８が心棒４０に取り付けられている。そして、各々の支枝４８の先端には、それぞれ球形からなる観賞用物体５０が取り付けられている。
【００５６】
ここで、図１８および図１９に示すように、複数の観賞用物体５０は内筒２４内で螺旋状に並ぶように配置されている。このため、内筒２４が駆動モータ３４により回転させられた場合には心棒４０も同期して回転し、看者にとって各々の観賞用物体５０はあたかも上下方向に移動するように錯覚することとなる。
【００５７】
図１８および図１９に示すようなサインポール１０ｆによれば、内筒２４の内部で螺旋状に配置された複数の観賞用物体５０が設けられている。このため、観賞用物体５０が内筒２４とともに一体的に回転させられたときに、看者は、この観賞用物体５０があたかも上下方向に移動するように認識し、サインポール１０ｆの審美性をより一層向上させることができる。
【００５８】
次に本実施の形態におけるサインポールの更に他の変形例につき、図２０乃至図２２により説明する。図２０は、本実施の形態における更に他のサインポール１０ｇの構成を示す側面図であり、図２１は、図２０のサインポール１０ｇの縦断面図であり、図２２は、図２０のサインポール１０ｇのＨ−Ｈ矢視横断面図である。
【００５９】
図２０乃至図２２に示すサインポール１０ｇは、照明体２６を外筒２２と内筒２４との間に設ける代わりに、上方照明体３７および下方照明体３８を設置した点が異なるのみであり、他は実質的に図１乃至図５に示す実施の形態と同様のものとなっている。
図２０乃至図２２において、図１乃至図１９に示す態様と同一部分には同一符号を付して詳細な説明を省略する。
【００６０】
図２０乃至図２２に示すサインポール１０ｇは、基台２０と、この基台２０に固定された円筒形の外筒２２と、この外筒２２の内部に回転自在に設けられた円筒形の内筒２４と、外筒２２の内部において内筒２４の上方および下方にそれぞれ設置された上方照明体３７、下方照明体３６とを備えている。また、外筒２２と内筒２４との間には、上方照明体３７および下方照明体３６に電力を供給するための配線部材３８が設けられている。
以下、このようなサインポール１０ｇの各構成要素について詳細に説明する。
【００６１】
上方照明体３７および下方照明体３６は、各々、図２１および図２２に示すようにいわゆるドーナツ形状のものとなっている。上方照明体３７は蓋部材３０に覆われており、また下方照明体３６は基台２０に覆われており、それぞれ外方から視認することができないようになっている。
【００６２】
以下、このような構成からなるサインポール１０ｇの作用について説明する。
【００６３】
図２０乃至図２２に示すように、螺旋状の青帯模様２４ａ、２４ｃ、赤帯模様２４ｂ、２４ｄおよび白帯模様からなる模様が表面に付された内筒２４が外筒２２の内部に設置され、この内筒２４が駆動モータ３４により一方向に回転させられる。このことにより、看者は、これらの帯模様があたかも上方または下方に移動するような錯覚を受け、当該サインポール１０ｇに審美性を感じることができる。
【００６４】
本実施の形態においては、上方照明体３７および下方照明体３６は、それぞれ外筒２２の内部における内筒２４の上方および下方に設置されている。このため、内筒２４を、その内部に何も設置されていないような中空状態とすることができる。このことにより、看者は、内筒２４に形成された帯模様のうち手前側の模様２４ａ、２４ｂのみならず、奥側の模様２４ｃ、２４ｄも十分に視認することができる。このため、看者は、手前側のみならず奥側の帯模様についてもあたかも当該奥側の帯模様が上方または下方に移動するような錯覚を受け、手前側および奥側の両方の帯模様を十分に視認することにより帯模様に優れた立体感を感じるようになる。このことによりサインポール１０ｇの審美性をより向上させることができる。
【００６５】
なお、図２０乃至図２２に示すサインポール１０ｇは上方照明体３７および下方照明体３６の両方を備えているが、いずれか一方のみの照明体を備えるような構成としてもよい。
【００６６】
更に他の変形例について説明すると、内筒２４の表面には、螺旋状の模様に限らず様々な模様の色彩を施すことができる。また、観賞用物体を交換することにより、理容店、美容店以外の様々な業種をイメージしたディスプレイ装置として活用することができる。また、外筒２２は円筒状のものに限定されることはなく、四角筒状等様々な種類のものを適用することができる。
【図面の簡単な説明】
【００６７】
【図１】本発明の一の実施の形態のサインポールの構成を示す斜視図である。
【図２】図１のサインポールを一の方向から見た側面図である。
【図３】図１のサインポールを他の方向から見た側面図である。
【図４】図２のサインポールのＡ−Ａ矢視縦断面図である。
【図５】図３のサインポールのＢ−Ｂ矢視横断面図である。
【図６】本実施の形態における他のサインポールの構成を示す側面図である。
【図７】図６のサインポールの縦断面図である。
【図８】図６のサインポールのＣ−Ｃ矢視横断面図である。
【図９】本実施の形態における更に他のサインポールの構成を示す側面図である。
【図１０】図９のサインポールの縦断面図である。
【図１１】図９のサインポールのＤ−Ｄ矢視横断面図である。
【図１２】本実施の形態における更に他のサインポールの構成を示す側面図である。
【図１３】図１２のサインポールの縦断面図である。
【図１４】図１２のサインポールのＥ−Ｅ矢視横断面図である。
【図１５】本実施の形態における更に他のサインポールの構成を示す側面図である。
【図１６】図１５のサインポールの縦断面図である。
【図１７】図１５のサインポールのＦ−Ｆ矢視横断面図である。
【図１８】本実施の形態における更に他のサインポールの構成を示す側面図である。
【図１９】図１８のサインポールのＧ−Ｇ矢視横断面図である。
【図２０】本実施の形態における更に他のサインポールの構成を示す側面図である。
【図２１】図２０のサインポールの縦断面図である。
【図２２】図２０のサインポールのＨ−Ｈ矢視横断面図である。
【図２３】従来のサインポールの側面図である。
【符号の説明】
【００６８】
１０ａ〜１０ｇ    サインポール
２０    基台
２２    外筒
２４    内筒
２４ａ〜２４ｈ  帯模様
２６    照明体
２６ａ  蛍光灯
２６ｂ  ホルダー
２６ｃ  遮光板
２８    保持機構
３０    蓋部材
３２    突起部
３４    駆動モータ
３６    下方照明体
３７    上方照明体
３８    配線部材
４０    心棒
４２    観賞用物体
４４    観賞用物体
４５    観賞用物体
４６    観賞用物体
４８    支枝
５０    観賞用物体
６０    サインポール
６２    回転筒
６２ａ  模様
６４    ケース部材
６６    基台
６８    内筒
【図１】
2008026465.tif 000003
【図２】
2008026465.tif 000004
【図３】
2008026465.tif 000005
【図４】
2008026465.tif 000006
【図５】
2008026465.tif 000007
【図６】
2008026465.tif 000008
【図７】
2008026465.tif 000009
【図８】
2008026465.tif 000010
【図９】
2008026465.tif 000011
【図１０】
2008026465.tif 000012
【図１１】
2008026465.tif 000013
【図１２】
2008026465.tif 000014
【図１３】
2008026465.tif 000015
【図１４】
2008026465.tif 000016
【図１５】
2008026465.tif 000017
【図１６】
2008026465.tif 000018
【図１７】
2008026465.tif 000019
【図１８】
2008026465.tif 000020
【図１９】
2008026465.tif 000021
【図２０】
2008026465.tif 000022
【図２１】
2008026465.tif 000023
【図２２】
2008026465.tif 000024
【図２３】
2008026465.tif 000025